(57)【要約】【課題】振動を吸収して快適に入浴できるとともに、架台の高さ調整を容易に行え、作業性よく施工できる浴槽用気泡発生装置の取り付け構造を提供する。【解決手段】浴槽９で気泡を発生させる装置を取り付ける構造であって、循環ポンプＰと気液混合タンクＴとはそれぞれ、支持プレート２とＬ字型取り付けベース１とからなる防振架台Ａに取り付けられるとともに、上記支持プレート２は防振ゴムパッキン６を挟んで上記Ｌ字型取り付けベース１の垂直支持片１２に高さ調整自在に組み付けられ、上記Ｌ字型取り付けベース１はその水平支持片１１に穿設した挿通孔１１１に高さ調整自在にアジャスタボルト３を挿通させ、該アジャスタボルト３にロックナット４によって締結される浴槽用気泡発生装置の取り付け構造。【選択図】図２
2006230511.tif 000002
【特許請求の範囲】
【請求項１】
少なくとも循環ポンプと気液混合タンクとを備え、浴槽で気泡を発生させる装置を取り付ける構造であって、上記循環ポンプと気液混合タンクとはそれぞれ、支持プレートとＬ字型取り付けベースとからなる防振架台に取り付けられるとともに、上記支持プレートは防振ゴムパッキンを挟んで上記Ｌ字型取り付けベースの垂直支持片に高さ調整自在に組み付けられ、上記Ｌ字型取り付けベースはその水平支持片に穿設した挿通孔に高さ調整自在にアジャスタボルトを挿通させ、該アジャスタボルトにロックナットによって締結される浴槽用気泡発生装置の取り付け構造。
【請求項２】
上記挿通孔の開口縁に防振ゴムリングを覆設するとともに、上記アジャスタボルトのヘッド部が防振ゴムベースを介して床面に設置された請求項１に記載の浴槽用気泡発生装置の取り付け構造。
【請求項３】
上記支持プレートに設けた縦長孔と垂直支持片に穿たれたボルト孔とにボルトを挿通し、該縦長孔の上下可動分だけ高さ調整できるように上記支持プレートを垂直支持片に固定した請求項１に記載の浴槽用気泡発生装置の取り付け構造。
【請求項４】
上記支持プレートと垂直支持片とを固定する固定手段がボルトとナットである請求項３に記載の浴槽用気泡発生装置の取り付け構造。
【発明の詳細な説明】
【技術分野】
【０００１】
本発明は、浴槽水に気泡を発生させる気泡発生装置に関する。さらに詳しくは、上記浴槽用気泡発生装置の取り付け構造に関する。
【背景技術】
【０００２】
近年、健康志向の高まり、あるいは美容上の効果を期待して浴槽で気泡を発生させ、皮膚を刺激するように気泡発生装置を備えた浴槽が販売されている。通常、上記浴槽用気泡発生装置は下記特許文献１の第１図に示されているように、循環ポンプと気液混合タンクとを主要機器として備え、空気取り入れ口、コントローラ等から構成されている。
【特許文献１】特開２００１−１７９２４１号公報（第１〜４頁、第１図）
【発明の開示】
【発明が解決しようとする課題】
【０００３】
通常、上記循環ポンプと気液混合タンクとは、それぞれを支持する架台と床面との間に防振ゴムを介装し、浴槽用気泡発生装置が稼動している間に発生する振動を吸収するための処置が施されている。しかしながら、入浴中に不快感なく振動を吸収するためには、上記防振ゴムをより柔らかく、厚くする必要がある。また、浴室の大きさや浴槽の形状が異なると床パンの形状も異なるため、施工時には上記架台の高さを浴槽や床パンに合わせて調節しなければならず、手間がかかるという問題もあった。本発明はこのような問題を解決して、浴槽用気泡発生装置の振動を吸収して快適に入浴できるとともに、架台の高さ調整を容易に行え、作業性よく施工できる浴槽用気泡発生装置の取り付け構造を提供することをその課題とする。
【課題を解決するための手段】
【０００４】
上記課題を解決するために、本発明においては、つぎのような技術的手段を講じている。すなわち、本発明によれば、少なくとも循環ポンプと気液混合タンクとを備え、浴槽で気泡を発生させる装置を取り付ける構造であって、上記循環ポンプと気液混合タンクとはそれぞれ、Ｌ字型取り付けベースと支持プレートとからなる防振架台に取り付けられるとともに、上記支持プレートは防振ゴムパッキンを挟んで上記Ｌ字型取り付けベースの垂直支持片に高さ調整自在に組み付けられ、上記Ｌ字型取り付けベースはその水平支持片に穿設した挿通孔に高さ調整自在にアジャスタボルトを挿通させ、該アジャスタボルトにロックナットによって締結される浴槽用気泡発生装置の取り付け構造が提供される。
【０００５】
上記挿通孔の開口縁に防振ゴムリングを覆設するとともに、上記アジャスタボルトのヘッド部が防振ゴムベースを介して床面に設置されることが好ましい。上記防振ゴムリングは外方に開放した側断面コの字型とされ、この開放部分に上記挿通孔の開口縁を差し込むようにして覆設することが好ましい。また、上記防振ゴムベースはアジャスタボルトのヘッド部が納まるように中央部が凹部とされた受け皿状のものを用いることが好ましい。
【０００６】
上記支持プレートに縦長孔を設け、該縦長孔の上下可動分だけ高さ調整できるように上記支持プレートを上記Ｌ字型取り付けベースの垂直支持片に固定することが好ましい。また、上記垂直支持片を固定する固定手段をボルトとナットとすることが好ましい。
【発明の効果】
【０００７】
請求項１に記載の発明は上記のとおりであり、循環ポンプと気液混合タンクとはそれぞれ、Ｌ字型取り付けベースと支持プレートとからなる防振架台に取り付けられ、上記支持プレートは防振ゴムパッキンを挟んで上記Ｌ字型取り付けベースの垂直支持片に高さ調整自在に組み付けられ、かつ、上記Ｌ字型取り付けベースはその水平支持片に穿設した挿通孔に高さ調整自在にアジャスタボルトを挿通させ、ロックナットによって締結されているため、振動が吸収されるとともに、床パンの形状が変わっても、それに合わせて作業性よく防振架台の高さ調整を行うことができる。
【０００８】
上記挿通孔の開口縁に防振ゴムリングを覆設するとともに、上記アジャスタボルトのヘッド部を防振ゴムベースを介して床面に設置し、床面への振動を上記防振ゴムリングと防振ゴムベースとの２箇所で吸収するため、公知の架台に比べてより優れた防振効果を発揮することができる。
【０００９】
上記支持プレートに設けた縦長孔と垂直支持片に穿たれたボルト孔とにボルトを挿通し、該縦長孔の上下可動分だけ高さ調整できるように上記支持プレートを垂直支持片に固定するため、取り付け施工時の最終段階の高さの微調整を作業性よく行うことができる。また、上記垂直支持片を固定する固定手段をボルトとナットとすることにより、容易に上記微調整を行うことができる。
【発明を実施するための最良の形態】
【００１０】
以下、本発明の実施形態について図面を参照して詳細に説明する。図１は、本発明にかかる浴槽用気泡発生装置の取り付け構造の概略構成を示す分解斜視図である。図２は、図１に示す浴槽用気泡発生装置の取り付け構造を用いて循環ポンプＰを取り付ける状態を示す説明図である。図１、図２に示されているように、防振架台ＡはＬ字型取り付けベース１と支持プレート２とからなり、上記Ｌ字型取り付けベース１は水平支持片１１と垂直支持片１２とから構成され、水平支持片１１には挿通孔１１１が設けられている。また、上記挿通孔１１１にはアジャスタボルト３が挿通され、２個のロックナット４によって上記水平支持片１１を挟んで高さ調整自在に締結される。
【００１１】
また、支持プレート２には縦長孔２１が設けられ、この縦長孔２１と垂直支持片１２に設けられたボルト孔１２１とは固定手段５として用いたボルト、ナットのボルトを挿通し、ナットで締め付けてしっかりと固定する。このとき、図２によく示されているように、防振ゴムパッキン６が介装され、循環ポンプＰの振動を吸収するようにされている。さらに、上記挿通孔１１１の開口縁には防振ゴムリング７が覆設され、この防振ゴムリング７を挟んで上記２個のロックナット４が高さ調整自在に水平支持片１１をしっかりと締結する。このようにして、循環ポンプＰを取り付けた本発明にかかる浴槽用気泡発生装置の取り付け構造は、防振ゴムベース８を介して床面に設置される。
【００１２】
図３は、少なくとも循環ポンプＰと気液混合タンクＴとを備えた気泡発生装置に本発明にかかる浴槽用気泡発生装置の取り付け構造を適用し、浴槽９に取り付けたときの要部を示す構成図である。図３において、浴槽９から吸入配管９１を経由して循環ポンプＰに吸入された浴槽水は、図示しない空気取り入れ口からの圧縮空気と共に気液混合タンクＴに送入される。気液混合タンクＴ内で空気を十分に溶解した浴槽水は加圧下に吐出配管９２から浴槽９に戻され、浴槽９内で気泡を発生させる。このようにして浴槽水中で発生した無数の気泡は入浴者の皮膚を刺激し、肌や筋肉にマッサージ効果を与え、快適な入浴感を与えることができる。
【図面の簡単な説明】
【００１３】
【図１】本発明にかかる浴槽用気泡発生装置の取り付け構造の概略構成を示す分解斜視図である。
【図２】図１に示す浴槽用気泡発生装置の取り付け構造を用いて循環ポンプを取り付ける状態を示す説明図である。
【図３】本発明にかかる浴槽用気泡発生装置の取り付け構造を浴槽に適用したときの要部を示す構成図である。
【符号の説明】
【００１４】
Ａ          防振架台
１          Ｌ字型取り付けベース
１１        水平支持片
１１１      挿通孔
１２        垂直支持片
１２１      ボルト孔
２          支持プレート
２１        縦長孔
３          アジャスタボルト
４          ロックナット
５          固定手段
６          防振ゴムパッキン
７          防振ゴムリング
８          防振ゴムベース
９          浴槽
９１        吸入配管
９２        吐出配管
Ｐ          循環ポンプ
Ｔ          気液混合タンク
【図１】
2006230511.tif 000003
【図２】
2006230511.tif 000004
【図３】
2006230511.tif 000005